(57)【要約】弾性的に外に開くことができる腕を有する眼鏡のためのフレームは、少なくとも１つの智（３）と、この智（３）にヒンジで接続され腕（２）に摺動するように関連した連結棒（５）により智に関節で接続されている少なくとも１つの腕（２）とを有し、弾性手段が、腕（２）を智に向けて付勢するために、腕（２）と連結棒（５）との間で作用する。この弾性手段は、弾性的な付勢の印加の方向に対応したほぼ長手方向の軸（Ｋ）に沿って延びている少なくとも１つのらせんばね（１２）を有し、このばね（１２）の複数の巻きの軸（Ｌ）は、このばねに長手方向の軸を横断するほぼ扁平な構成を与えるために、長手方向の軸（Ｋ）に対して傾斜されている。
2008514980.tif 000002
【特許請求の範囲】
【請求項１】
弾性的に外に開くことができる腕を有する眼鏡のためのフレームであって、
少なくとも１つの智（３）と、この智（３）にヒンジで接続され前記腕（２）に摺動するように関連した連結棒（５）により前記智に関節で接続されている少なくとも１つの腕（２）とを具備し、弾性手段が、前記腕を前記智に向けて付勢するために、前記腕（２）と連結棒（５）との間で作用する、フレームにおいて、前記弾性手段は、弾性的な付勢の印加の方向に対応したほぼ長手方向の軸（Ｋ）に沿って延びている少なくとも１つのらせんばね（１２）を有し、このばね（１２）の複数の巻きの軸（Ｌ）は、このばねに前記長手方向の軸を横断するほぼ扁平な構成を与えるために、前記長手方向の軸（Ｋ）に対して傾斜されていることを特徴とするフレーム。
【請求項２】
前記ばね（１２）の長手方向の軸（Ｋ）は、対応する前記腕（２）の軸方向の延びの方向とほぼ平行であり、前記ばね（１２）により作用される前記腕の部分（２ａ）は、前記ばねの扁平な構成のために減少した横断方向のスペースの全体的な必要条件を有している請求項１に係るフレーム。
【請求項３】
前記ばね（１２）は、前記連結棒（５）と腕（２）とに設けられているそれぞれの結合構造に係合するための小穴部分（１２ｂ）として構成されている対向する軸方向端部を有する請求項１又は２に係るフレーム。
【請求項４】
前記小穴部分（１２ｂ）の軸は、互いに平行に向けられ、前記ばね（１２）の長手方向の軸（Ｋ）に垂直に向けられている請求項３に係るフレーム。
【請求項５】
前記ばね（１２）は、金属のワイヤで製造されている前記全ての請求項のいずれか１に係るフレーム。
【請求項６】
前記連結棒（５）は、前記智（３）にヒンジで接続するために配置されているヘッド（７）と、このヘッドから延びスロット形状の開口部（１４）を有している細長い部分（９）を有し、この開口部は、前記腕（２）から横方向に起立しているブッシュ部材（１５）により、このブッシュ部材が制限された程度まで摺動できるように、係合され、前記スロット形状の開口部（１４）の対向する端部の一方は、前記腕（２）に許される通常の開き位置を越えた回動を制限するための手段を構成している前記全ての請求項のいずれか１に係るフレーム。
【請求項７】
前記ばね（１２）を収容するためのボックス形状のケーシング（１６）をさらに具備し、このケーシングは、前記腕（２）に固定されている第１のねじ部材（１８）と第２のねじ部材（１８）とにより係合されている１対の貫通孔（１７）により前記腕（２）に固定されて結合されるように配置されている請求項６に係るフレーム。
【請求項８】
前記第１のねじ部材（１８）は、前記ブッシュ部材（１５）にねじ係合されている請求項７に係るフレーム。
【請求項９】
前記ばね（１２）の前記連結棒（５）から離れた端部は、前記第２のねじ部材に結合されている請求項７又は８に係るフレーム。
【請求項１０】
前記ばね（１２）の前記連結棒（５）から離れた端部は、前記腕（２）から横方向に起立し第２のねじ部材（１８）がねじ係合されている第２のブッシュ部材（１３）に結合されていることを特徴とする請求項９に係るフレーム。
【請求項１１】
前記ボックス形状のケーシング（１６）には、複数の脚部（２１）が設けられ、このボックス形状のケーシングは、前記智のそれぞれのカムのプロファイル（３ｃ）を位置させることができる、これら脚部（２１）の面（２１ａ）の位置で前記智（３）に当接する請求項７に係るフレーム。
【請求項１２】
前記脚部（２１）は、前記ヘッド（７）に対して対称的に延び、前記カムのプロファイル（３ｃ）は、前記智（３）から延びているそれぞれのウィング（３ａ）の端部で規定され、これらウィング（３ａ）は、前記ヘッド（７）が前記智（３）にヒンジで接続されている場合に、このヘッドを収容することができる請求項１１に係るフレーム。
【請求項１３】
前記ばね（１２）は、前記智（３）に前記腕（２）をヒンジで接続するための軸（Ｙ）を横断する方向に扁平な構成を有する前記全ての請求項のいずれか１に係るフレーム。
【請求項１４】
前記腕は、管状の構造を備えた少なくとも１つの部分を有し、前記ばね（１２）は、この腕の部分のキャビティ内に軸方向に収容される請求項１乃至５のいずれか１に係るフレーム。
【請求項１５】
前記連結棒（５）は、前記腕の管状のキャビティ内を摺動するように案内される請求項１４に係るフレーム。
【請求項１６】
前記連結棒は、前記腕（２）に固定されて接合された案内部材（３２）内を制限された程度で摺動することができるように、係合されている部分（５ｂ）を有する請求項１４に係るフレーム。
【請求項１７】
前記連結棒（５）の部分（５ｂ）に、軸方向に対向し、前記連結棒（５）と案内部材（３２）との軸方向の互いの摺動を制限するための手段を構成するように、前記案内部材（３２）と干渉することができる、１対の突出部（３４ａ、３４ｂ）が設けられている請求項１６に係るフレーム。
【請求項１８】
支持部（３１）が、前記ばね（１２）の、前記智（３）に対して比較的離れた端部を前記腕の管状の部分に結合するために設けられ、この支持部（３１）は、溶接又はねじ止めにより前記腕（２）に束縛されている請求項１４乃至１７のいずれか１に係るフレーム。
【発明の詳細な説明】
【技術分野】
【０００１】
本発明は、上位請求項の前提部による、弾性的に外側に開くことができる腕を備えた眼鏡のためのフレームに関する。
【背景技術】
【０００２】
本発明は、腕が、開放された場合に戻されることができるが、通常の開き位置を越えて回動されることができる、腕を関節接続するためのシステムを備えている眼鏡フレームの特定の領域に適用可能である。
【０００３】
この領域では、連結棒が典型的には設けられているフレームを製造することが既知であり、この連結棒は、腕の関節の智（ち）にヒンジで接続され、腕と、連結棒と腕との間で作動するばねと摺動するように関連している。
【０００４】
既知の解決手段に見出される主要な制限は、腕の位置で大きなスペースが必要とされることにある。これは、細い腕を有する軽量なフレームを特徴付けるスリムさの必要条件と両立しない、ばね付きの関節装置があるためである。
【発明の開示】
【発明が解決しようとする課題】
【０００５】
本発明の主要な目的は、上述の制限を克服するように構造的に、機能的にデザインされ、特に、適度のスペースが必要とされ厚さが減少した腕により特徴付けられる、弾性的に外側に開くことができる腕を有する眼鏡のためのフレームを提供することである。
【課題を解決するための手段】
【０００６】
この目的と、以下で示される他の目的は、添付されている請求項によって製造される眼鏡のフレームにより、本発明により達成される。
【０００７】
本発明の態様と有利な点とは、添付されている図面を参照して、非限定的な例として示されている２つのその好ましい実施形態の以下の詳細な説明から明らかになるだろう。
【発明を実施するための最良の形態】
【０００８】
まず、図１乃至９を参照して、本発明によって製造される、弾性的に外に開くことができる腕を有する眼鏡のためのフレームの第１の実施形態が、全体にわたって１で指示される。
【０００９】
このフレーム１は、長手方向の軸Ｘを有し、全体にわたって４で指示される前枠のそれぞれの智（ち）(lug)に関節接続されている腕２を有している。
【００１０】
これら腕２の一方のみの弾性的なヒンジで動くためのシステムが、以下で説明され、他方の鏡映対称の腕が、構造的に機能的に同一の方法で関節接続されていることが理解される。
【００１１】
連結棒部材５が、軸Ｘにほぼ垂直な軸Ｙを有するねじ６により智３に関節接続されている。この連結棒部材５は、このねじ６を収容するための貫通孔８が設けられているヘッド７と、このヘッド７から軸方向に延びている細長い部分９とを有している。この細長い部分９は、矩形の断面のロッドの形状で、以下でより詳細に明らかになるように、腕２と摺動可能に関連している。
【００１２】
ねじ６による連結棒５のヒンジによる関節接続のために、智３には、間にヘッド７を収容するために、智から平行に離間して延びている２つのそれぞれプレート形状のウィング３ａが設けられている。これらウィングは、互いに同心状で、前記ヘッドが前記智にヒンジで接続される場合に、前記ヘッドの孔８と同心状のそれぞれの孔３ｂにより貫通されている。これら孔３ｂの一方に、ねじ６がねじで係合するためにねじ山が設けられていることは好都合である。これらウィング３ａが、前枠４に一体に形成され、又は図２に示されているように、例えば、この前枠にはめ込むことにより、この前枠に固定されるように配置されている別個のヒンジ部材１０の一部であることが規定される。
【００１３】
細長い部分９の前記ヘッドとは反対の端部で、連結棒５には、１２で指示され、らせんばねの一方の軸方向の端部を結合するためのピン構造１１が設けられている。このらせんばねの反対側の端部はアーム２に束縛されている。
【００１４】
ばね１２は、らせんタイプで図の中で示されている軸Ｋにより特定されるほぼ長手方向に延びている。このばね１２が金属ワイヤで形成されていることは好ましく、複数の巻き１２ａを有している。この巻きは、本発明の中心的な態様によると、互いに平行であり、すべてがＬで指示され、軸Ｋに対して軸Ｋと軸Ｌとの間の角Ａを規定して傾斜しているそれぞれの巻き軸を有している。この傾斜のために、図７に示されているように、軸Ｋを横断し、ほぼ扁平な全体の構成をばね１２に与える。
【００１５】
したがって、ばね１２は、このばね１２が横方向に同じ直径のワイヤを有し、同じ巻きの直径を有する従来のらせんばねが必要とする横断方向の空間よりも小さな必要とされる横断方向の空間を持つように、横方向に「押しつぶされている」ように見える。
【００１６】
ばね１２の軸方向に対向している端では、前記連結棒と腕とに設けられているそれぞれの結合構造で係合することができる開いた小穴部分１２ｂを有する構成を想定するように曲げられている。これら小穴部分１２ｂは、互いに平行であり、前記ばねの長手方向軸Ｋに垂直に向けられていることが認められるだろう。
【００１７】
ばね１２は、前記腕と智３近くのこの腕の部分２ａで結合され、また、図２から明らかに見られるように、ばね１２の扁平な構成のために非常に小さい、腕の部分２ａが必要とする横方向の全体の空間を得るために、ばね１２は、前記腕に面している巻きで接して位置している位置でこの腕に固定されている。
【００１８】
腕の部分２ａを、プラスチック素材の残りの腕の部分に接続されるように配置されている金属素材で形成することができることは好都合である。代わりに、腕２全体を金属素材で形成してもよい。
【００１９】
ばね１２の対応する端部を腕２にロックするために、この腕から横方向に出て、このばねの対応する端の小穴１２ｂで結合されて係合するそれぞれのブッシュ１３が設けられている。
【００２０】
円筒状のブッシュ１３を例えば溶接により前記腕に固定することができ、もしくは、このブッシュを成形によりこの腕と一体に形成することができる。
【００２１】
スロット形状の開口部１４が、ヘッド７とピン１１との間の細長い部分９の中間の位置に、この細長い部分を通過させて形成されている。このスロット１４は、この細長い部分の軸方向に延び、対向する端部１４ａ、１４ｂを有している。前記腕から横方向に起立している他の円筒状のブッシュ１５が、このブッシュが制限された程度で摺動することができるように、スロット１４の中に係合している。この円筒状のブッシュ１５を、前記腕に例えば溶接により固定することができ、又は成形により前記腕と一体に成形することができる。ブッシュ１５がスロット１４の中に係合することにより、前記連結棒は、前記腕に対して軸方向に摺動することができ、スロットの端部１４ｂは、腕２が通常の開き位置を越えて回動するのを制限するための手段として作用する。
【００２２】
全体を通して１６で指示される、ばね１２と連結棒５の部分とを収容するためのボックス形状のケーシングが、また、設けられ、腕２に頑丈に固定されている。このケーシング１６は、腕２の横の内壁により閉じられるように配置され、この腕の内壁に対向するケーシングの底１６ａに、対応するブッシュ１３、１５内に軸方向に形成されたねじ山の設けられたそれぞれの孔１９の中にねじ込まれるために適した対応するねじ１８を通過させるための１対の貫通孔１７を有している。このケーシング１６は、ねじ１８により腕２に頑丈に束縛されている。
【００２３】
ケーシング１６が、前記腕の外側から見えないように、このケーシング１６が、対応する腕２の必要とされるスペースの横方向の突出内に含まれるという横方向空間の必要条件を有することが認められるだろう（図３）。ケーシング１６は、また、連結棒５を軸方向に摺動させて案内するために、制限された結合の間隔でこの連結棒５を収容するように寸法を有するように選択されている。
【００２４】
ケーシング１６には、また、ヘッド７に対して対称であるようにこのヘッド７に面した端に位置している１対の脚部２１が設けられている。これら脚部２１は、ヒンジ軸Ｙに垂直な方向に延び、智３で規定されているそれぞれのカムのプロファイル３ｃを位置させるために適した平坦な面２１ａを有している。これらカムのプロファイル３ｃは、それぞれのウィング３ａのエッジに形成されていることが好ましい。ボックス形状のケーシング１６と一体に形成されていることが好ましい、これら脚部２１は、ヒンジ軸を中心とした前記腕の正確な回転を可能とするために、ウィング３ａとのケーシングの接触面積を増加させるように用いられる。
【００２５】
フレーム１を組立てる間、ばね１２は、延ばされるようにあらかじめ弾性的に負荷がかけられ、このばねのそれぞれの端部により前記腕と連結棒とに結合される。それから、前記連結棒とボックス形状のケーシングとを備えた腕２は、この腕のヒンジで動く関節接続のために、装置内にねじ６を挿入することにより、前枠４に接続される。そして、ケーシング１６は、複数のねじ１８により前記腕に固定して結合される。この状態で、ブッシュ１５は、スロット１４の端部１４ａに当接し、ばね１２に弾性的にあらかじめかけられている負荷により、装置に前記腕をヒンジで開くための弾性的な振舞いが与えられる。最初の静止長さを想定したばね１２の弾性的な戻りは、ヒンジで動く関節へ受け渡され、閉じと開きとの両方に関して「弾性的なスナップの」回転運動が保障される。加えて、腕２には、追加的な角度回転させることにより、通常の開き位置を越えて弾性的に外に開く能力が与えられている。この追加的な角度のサイズは、スロット１４の範囲により決定され、特に、このスロットの端部１４ａ、ｂの位置により決定される。腕２が、腕の端を智に位置させることに続いて、通常の開き位置を越えて回動された場合、引き続いてばね１２をさらに延ばして、腕と連結棒とは、互いに摺動し、この結果、腕が離された場合に、通常の開き位置に腕を戻すような追加的な弾性力が引き起こされる。
【００２６】
フレーム１の複数の構成要素は、他で特に特定しなければ、金属素材、金属合金、プラスチック素材、又は他の適当な素材で製造されることが有利である。
【００２７】
図１０乃至１４を参照すると、１ａは、上述の実施形態の構成要素に類似している構成要素が同一の参照符号により示されている、本発明によって形成されるフレームの第２の実施形態を示している。
【００２８】
フレーム１ａは、管状の又は部分的に管状の構造を腕２の各々に設けることのために原理的に異なっている。この腕２の内部で規定されているこの腕のキャビティは、ばねと連結棒とを収容するための座部を構成している。
【００２９】
より詳細には、ばね装置を収容する腕２の部分は、ほぼ矩形の断面を備えた管状の構造を有しており、この構造は、間隔を低減させて上述の実施形態で説明されたのと同一の押しつぶされた構成を有するばね１２を収容するように寸法が取られていることが好都合である。
【００３０】
好ましい実施形態では、前記腕は、ほぼ矩形の断面と前記ばね装置を収容するために十分な長さを有する管状の構造により構成され、この管状の構造には、中実な部材により構成されている末端の腕部分が固定されている。
【００３１】
代わりに、この腕をヒンジ領域から末端部分までの全長にわたって管状の構造により構成してもよい。
【００３２】
ばね１２の、軸方向に前記智から離れているほうの端部は、腕２の管状のキャビティ内を摺動するように収容され、前記フレームを組立てている間に例えば溶接又はねじ止めにより選択された位置でこの腕に固定されるように配置されているばね支持部３１から突出しているピン構造３０に結合されている。智３に隣接するばね１２の反対側の端部は、連結棒５の端部に設けられているピン構造１１に結合されている。このピン構造１１は、連結棒５の第１の部分５ａに形成され、この部分は、腕２の管状のキャビティ内を摺動して案内されるために適しており、同様の矩形の断面を有しているが、部分５ａの断面と比較して小さな断面を有する第２の部分５ｂへと延びている。この第２の部分５ｂは、智３にヒンジで接続されるための貫通孔８が設けられた適当に丸められた端部で終端している。また、間に前記連結棒の第２の部分５ｂが収容される対向するウィング３２ａ、３２ｂを有するＵ字形状の断面を備えた案内部材３２が、軸方向に摺動するように、連結棒の第２の部分に係合される。この部分５ｂの同じ側から延び、３４ａ、３４ｂで指示されている、対向する表面の突出部が、ウィング３２ａ、３２ｂを接続している、案内部３２の部分３２ｃと干渉するように位置している。この結果、これら突出部は、案内部３２と連結棒とが互いに軸方向に摺動するのを制限するための手段を構成している。付属部３５が、また、部分３２ｃの延長(lengthening)として、軸方向に前記智の対応する当接面３６に向かって案内部３２から延び、腕２が通常の開き位置を越えて回動される場合に、前記智を位置させるのに用いられる。
【００３３】
案内部材３２には、また、この案内部３２を前記腕で中央に位置するように保持しロックするために、ウィング３２ｂから横方向に出て、前記智に隣接し腕２の端に形成されている対応する(respective)座部３８に係合することができる、突出部３７が備えられている。この腕は、上記の端で、付属部３５をほぼ形状係合するように収容するように配置されている突出部分３９を規定するように形状が取られている。フレーム１ａを組立てている間、案内部３２は前もって前記連結棒に摺動するように接続され、ばね１２がこの連結棒のピン１１に結合され、前記支持部のピン３０とこれらの部材から形成された組立体とが管状の腕２内に挿入される。
【００３４】
それから、この支持部３１を前記腕に対して軸方向に移動させ、引き続いて、例えば溶接又はねじ止めにより一緒にしてロックすることにより、ばね１２は、伸ばされるようにあらかじめ負荷がかけられる。前記連結棒と案内部とばねと支持部とを備えた腕２は、この腕を関節接続するために装置にヒンジねじ６を挿入することにより前枠４に接続される。案内部３２は、また、前記腕の管状の構造に固定されて接合される。この状態で、案内部３２は、前記連結棒の突出部３４ａに当接し、弾性的にあらかじめ負荷をかけていることにより、装置にばねによる弾性的な振舞いがもたらされる。
【００３５】
始めの静止長さを想定したばね１２の弾性的な戻りは、ヒンジ接続に伝えられ、前記腕には、前記案内部と連結棒とが互いに軸方向に、反対の突出部３４ｂに向かって動くことにより決定されるサイズの追加的な角度だけ回転することにより、通常の開き位置を越えて弾性的に外側に開く能力が備えられている。このように、突出部３４ｂは、前記腕が追加して回動するのを制限する手段として作用する。腕２が、付属部３５が智３を位置させるのに続いて、通常の開き位置を越えて回動される場合、前記連結棒と案内部とは（結果として前記連結棒と腕とについても）、互いに摺動し、この結果、ばね１２は、さらに延長し、腕が開放された場合に、この腕を通常の開き位置に戻すための追加的な弾性力を生じさせる。
【００３６】
このフレームのこの第２の実施形態においても、腕２は、原理的にばね１２の押しつぶされた構成と関連した極めて小さな横方向スペースの必要条件を、少なくとも１つの方向で有している。さらに、前記腕の管状の構成のために、弾性的なヒンジ装置の全ての構成要素により形成される組立体をこの腕内に入れ子にすることができ、この結果、この腕がスリムであるという利点をうるため(to)外部スペースの必要条件を制限している。とりわけ、特に腕の管状の構造のために、腕が全体的に極めて軽量であることを得るという有利な点がある。
【００３７】
本発明は、このように、既知の解決手段に対して上述の有利な点を得る、提案された物を達成する。
【００３８】
本発明により、スペースの必要が低減され、特に、フレームの腕の厚さが減少すること、結果として、外側に弾性的に開くことができ、既知の解決手段と比較して全体としてよりスリムで軽量なフレームを製造することを特別に述べることができる。
【図面の簡単な説明】
【００３９】
【図１】本発明により製造されるフレームの第１の実施形態の斜視図である。
【図２】図１のフレームの詳細の部分的に断面の平面図である。
【図３】図２の詳細の部分的に断面の側立面図である。
【図４】図１乃至図３のフレームの細部の平面図である。
【図５】図１乃至図３のフレームの細部の側立面図である。
【図６】図１乃至図５のフレームのさらなる細部の平面図である。
【図７】図１乃至図５のフレームのさらなる細部の側立面図である。
【図８】図１乃至図６のフレームのさらなる細部の平面図である。
【図９】図１乃至図６のフレームのさらなる細部の側立面図である。
【図１０】本発明によるフレームの第２の実施形態の部分平面図である。
【図１１】図１０のフレームのいくつかの細部の分解された斜視図である。
【図１２】部分的に組立てられた図１１のいくつかの細部の斜視図である。
【図１３】組立てられた状態の図１１の細部の斜視図である。
【図１４】図１１の細部の斜視図である。
【図１】
2008514980.tif 000003
【図２】
2008514980.tif 000004
【図３】
2008514980.tif 000005
【図４】
2008514980.tif 000006
【図５】
2008514980.tif 000007
【図６】
2008514980.tif 000008
【図７】
2008514980.tif 000009
【図８】
2008514980.tif 000010
【図９】
2008514980.tif 000011
【図１０】
2008514980.tif 000012
【図１１】
2008514980.tif 000013
【図１２】
2008514980.tif 000014
【図１３】
2008514980.tif 000015
【図１４】
2008514980.tif 000016
【国際調査報告】
2008514980.tif 000017
2008514980.tif 000018
2008514980.tif 000019